【事件の表示】
　特願２０１７−５３５９１０「電子装置」拒絶査定不服審判事件〔平成２８年７月１４日国際公開、ＷＯ２０１６／１１０７０５、平成３０年３月８日国内公表、特表２０１８−５０６８１９、請求項の数（１３）〕について、次のとおり審決する。
【結　論】
　原査定を取り消す。
　本願の発明は、特許すべきものとする。
【理　由】
第１　手続の経緯
　本願は、２０１６年（平成２８年）１月７日（パリ条約による優先権主張外国庁受理　２０１５年１月７日　ＧＢ（英国））を国際出願日とする出願であって、令和２年２月１８日付けで拒絶理由通知がされ、令和２年５月７日に意見書が提出されるとともに手続補正がされ、令和２年９月４日付けで拒絶査定（以下、「原査定」という。）がされ、これに対し、令和３年１月８日に拒絶査定不服審判の請求がされたものである。
第２　原査定の概要
　原査定の概要は次のとおりである。
　本願の請求項１〜６に係る発明は、その出願前に日本国内において頒布された以下の引用文献１〜３に記載された発明に基いて、請求項７〜９に係る発明は、その出願前に日本国内において頒布された以下の引用文献１〜５に記載された発明に基いて、請求項１０〜１３に係る発明は、その出願前に日本国内において頒布された以下の引用文献１〜６に記載された発明に基いて、その出願前にその発明の属する技術の分野における通常の知識を有する者（以下、「当業者」という。）が容易に発明をすることができたものであるから、特許法第２９条第２項の規定により特許を受けることができない。
引用文献等一覧
１．特開２００４−３１１８５号公報
２．実願平２−１１６８０６号（実開平４−７２５２４号）のマイクロフィルム
３．特開平５−１０１７４３号公報
４．特開昭５７−１２８４２１号公報
５．特開２０１４−１９９４４３号公報
６．特表２０１２−５１２６８２号公報
第３　本願発明
　本願の請求項１〜１３に係る発明（以下、それぞれ「本願発明１」〜「本願発明１３」という。）は、令和２年５月７日にされた手続補正で補正された特許請求の範囲の請求項１〜１３に記載された事項により特定される以下のとおりの発明である。
「　　【請求項１】
　電子装置であって、
　電気接点を有するプリント回路基板を収容する内部と外部とを画定するプラスチックケーシングであって、前記ケーシングの内部に撓ませることができる外部の一体的な可撓性部分を組み込んだケーシングと、
　導電性経路と神経筋刺激用の一対の電極とを支持する電気絶縁性の可撓性基板と
を含み、
　前記電極は、前記電極が前記ケーシングの外側にあるように、前記可撓性基板の前記ケーシングを越えて延びている部分に配置され、
　前記可撓性基板の少なくとも一部分は、前記一体的な可撓性部分を前記ケーシングの内部に撓ませると、前記一体的な可撓性部分が前記可撓性基板の前記少なくとも一部分を前記プリント回路基板と接触させ、前記導電性経路が前記電気接点に接触して電気回路を完成するように、前記少なくとも一部分が前記プリント回路基板に隣接するが前記プリント回路基板から離間するように前記ケーシングによって保持され、
　前記可撓性基板及び前記導電性経路は、前記電極を駆動するために前記ケーシングを越えて延びている装置。
　　【請求項２】
　前記外部の一体的な可撓性部分は、前記一体的な可撓性部分に力を加えると前記可撓性部分が前記ケーシングの内部に撓み、力を加えないと前記可撓性部分がもはや撓まないように弾性を有する、請求項１に記載の装置。
　　【請求項３】
　前記外部の一体的な可撓性部分はドーム形状に形成されている、請求項１又は２に記載の装置。
　　【請求項４】
　前記可撓性基板の前記少なくとも一部分は、張力により前記ケーシングによって保持されている、請求項１から３のいずれか一項に記載の装置。
　　【請求項５】
　前記可撓性基板は、前記可撓性基板が前記ケーシングに保持されるように、前記ケーシング内に形成された蛇行経路内に配置されている、請求項１から４のいずれか一項に記載の装置。
　　【請求項６】
　前記ケーシングは互いに固定された２つの部分から形成され、前記蛇行経路は前記２つの部分の間に形成されている、請求項５に記載の装置。
　　【請求項７】
　前記可撓性基板は高分子基板である、請求項１から６のいずれか一項に記載の装置。
　　【請求項８】
　前記可撓性基板は、二軸配向ポリエチレンテレフタレートフィルムである、請求項７に記載の装置。
　　【請求項９】
　前記一体的な可撓性部分は、前記可撓性基板を前記プリント回路基板と接触させるのに役立つような大きさ及び形状にされた内方への突起を含む、請求項１から８のいずれか一項に記載の装置。
　　【請求項１０】
　前記ケーシングは電気セルを更に含む、請求項１から９のいずれか一項に記載の装置。
　　【請求項１１】
　複数の外部の一体的な可撓性部分と、前記プリント回路基板の上の対応する複数の電気接点とを含む、請求項１から１０のいずれか一項に記載の装置。
　　【請求項１２】
　前記ケーシングは、水分の侵入に対して実質的に密封されている、請求項１から１１のいずれか一項に記載の装置。
　　【請求項１３】
　前記ケーシングは射出成形されている、請求項１から１２のいずれか一項に記載の装置。」
第４　引用文献、引用発明等
１．引用文献１について
　原査定の拒絶の理由に引用された上記引用文献１には、次の事項が記載されている（下線は当審で付したものである。）。
「【０００１】
【発明の属する技術分野】
本発明は、電気機器をはじめとする様々なものの操作部分に使用される薄型スイッチに関する。
「【００１９】
図１において、
引用符号１で示される本発明の薄型スイッチは、表面シート２と、弾性部材３と、スペーサ４と、可動側の接点５を有するドームシート６と、第二スペーサ７と、固定側の接点８を有する回路体９と、を外側から順に備えて構成されている。
【００２０】
上記表面シート２は、例えばポリエチレンテレフタレート（ＰＥＴ）又はポリエチレンナフタレート（ＰＥＮ）からなる合成樹脂製の柔軟性を有する薄肉のシート部材であって、
表面シート２における上記所定位置の周辺内は、スイッチ操作部分１２であって下方（矢線方向）への撓みが可能となるように形成されている。
「【００２３】
上記ドームシート６は、例えばポリエチレンテレフタレート（ＰＥＴ）又はポリエチレンナフタレート（ＰＥＮ）からなる合成樹脂製のシート部材であって、熱プレスを施すことにより形成された一又は複数のドーム部１４を有している。
ドーム部１４の裏面には、上記可動側の接点５が設けられている
「【００２６】
上記回路体９は、本形態においてＦＰＣ（フレキシブル・プリント・サーキット）を用いて構成されている（既知のプリント基板（ＰＣＢ）を用いてもよいものとする）。
回路体９は、所望のパターンに配索された図示しないスイッチ回路を有する回路体本体１６と、
を備えて構成されている。
【００２７】
回路体本体１６の表面、すなわち第二スペーサ７側には、上記可動側の接点５に対向し且つ接触する固定側の接点８が設けられている。
「【００３０】
スイッチ操作前となるスイッチ操作部分１２に荷重が掛かっていない状態では、表面シート２、弾性部材３、及びドーム部１４自体の保形性によって、その形状が保持された状態にある。そして、スイッチ操作がなされ、表面シート２のスイッチ操作部分１２がスイッチ操作をする者の指１７により矢線方向に押圧されると（下方向に押圧荷重を掛ける押圧操作）、先ず、表面シート２が下方向に撓むとともに弾性部材３が圧縮方向に弾性変形する。次いで、表面シート２及び弾性部材３を介在させた状態でドーム部１４が指１７の押圧による荷重に抗しながら、ある荷重を境にして座屈し反転する（この時、クリック感が生じる）。
【００３１】
ドーム部１４が座屈、反転すると下方向の荷重が減少し、ドーム部１４の押圧がスムーズに進行する。
反転したドーム部１４は更に押し込まれて第二スペーサ７の貫通孔１５に挿通され、ドーム部１４に設けられた可動側の接点５が貫通孔１５を介して回路体９の固定側の接点８に接触する。
【００３２】
これにより、回路体９の図示しないスイッチ回路が導通状態となり、薄型スイッチ１はＯＮされる。一方、指１７が離され下方向の荷重が解除されると、ドーム部１４、弾性部材３、及び表面シート２はもとの状態に復帰する（ドーム部１４の反発力は弾性部材３に吸収される）。そして、これに伴って導通状態が解除され、薄型スイッチ１はＯＦＦされる。
【図１】
　したがって、上記引用文献１には次の発明（以下、「引用発明」という。）が記載されていると認められる。
［引用発明］
「薄型スイッチ１を備えた電気機器であって、
薄型スイッチ１は、撓みが可能となるようにスイッチ操作部１２が形成されている表面シート２と、弾性部材３と、スペーサ４と可動側の接点５が設けられているドーム部１４を有するドームシート６と、第二スペーサ７と、固定側の接点８を有する回路体９と、を外側から順に備えて構成されているものであり、
スイッチ操作部１２が下方向の押圧加重により押圧されると、表面シート２が下方向に撓み、ドームシート６のドーム部１４が反転し、可動側の接点５が回路体９の固定側の接点８に接触し回路体９のスイッチ回路を導通状態とし、下方向の押圧加重が解除されるとドーム部１４及び表面シート２がもとの状態に復帰し導通状態が解除されるものである、
電気機器。」
２．引用文献２について
　原査定の拒絶の理由に引用された上記引用文献２には、次の事項が記載されている。
「即ち、本実施例のキーボードは、オペレータがデータを入力する際押下点となるキートップ１と前記キートップ１の下部に位置し、上下に摺動可能なステム２と前記ステム２を摺動ガイドする複数の開口部を有する一体ハウジング３と前記ステム２と相対応する位置に接して下部に位置するラバーカップシート４と前記ラバーカップシート４の下部に位置し、接点機能を有するペットアッシー５と前記ラバーカップシート４とペットアッシー５を一体ハウジング３と挟み込んでネジ止めによって固定するフィックスプレート６とを含む薄型キーボード・・・以下略」（明細書第５ページ第８行〜第１９行）
第１図（Ａ）〜（Ｃ）
　上記記載から、引用文献２には、「ラバーカップシート４とペットアッシー５を一体ハウジング３とフィックスプレート６によって挟み込まれた状態で固定するキーボード」が記載されているといえる。
３．引用文献３について
　原査定の拒絶の理由に引用された上記引用文献３には、次の事項が記載されている。
「【０００１】
【産業上の利用分野】この発明は、電子機器のパネル面などに配置され、押圧操作により動作する押圧スイッチ装置に関する。」
「【００１１】メンブレンシート４はスイッチを形成したメンブレンシートスイッチ部４Ａと、このメンブレンシートスイッチ部４Ａの各スイッチから発信される接点信号を出力するための回路パターンを収納したメンブレンシートリード部４Ｂとによって構成される。図１の例ではメンブレンシート支持体３のシート支持面３Ｂに形成したメンブレンシートスイッチ部４Ａを収納する凹部面６Ａと、メンブレンシートリード部４Ｂを収納する凹溝６Ｂによって平面方向制止手段６を構成した場合を示す。凹部面６Ａと凹溝６Ｂの深さはメンブレンシートスイッチ部４Ａとメンブレンシートリード部４Ｂの厚みにほゞ等しいか、あるいはこれよりわずかに浅く形成する。」
【図１】
　引用文献３の【図１】より、メンブレンシートリード部４Ｂは、メンブレンシート支持体３を越えて延びている点が看取できる。
　上記記載及び看取事項から、引用文献３には、「メンブレンシートスイッチ部４Ａとメンブレンシートリード部４Ｂとによって構成されるメンブレンシート４と、メンブレンシート支持体３とを含む押圧スイッチ装置であって、メンブレンシートリード部４Ｂは、メンブレンシート支持体３を越えて延びている、押圧スイッチ装置」が記載されているといえる。
４．引用文献４について
　原査定の拒絶の理由に引用された上記引用文献４には、次の事項が記載されている。
「キーボード１８は可撓的積層回路アセンブリを具備し、該可撓的積層回路アセンブリは、汎用の可撓的印刷配線板用絶縁性材料である可撓的誘電体製のフィルム又は基板シート６２・・・略・・・とを有する。」（公報第６ページ左上欄第１行〜第１２行）
　上記記載から、引用文献４には、「可撓的誘電体製のフィルム又は基板シート６２を有するキーボード１８」が記載されているといえる。
５．引用文献５について
　原査定の拒絶の理由に引用された上記引用文献５には、次の事項が記載されている。
「【００１２】
　図２は、ドラム形状を有する多層電子写真画像化部材または感光体の例示的実施形態である。基材は、さらに、円筒形状であってもよい。分かるように、この例示的画像化部材は、剛性支持基材１０、導電性接地面１２、アンダーコート層１４、電荷発生層１８および電荷輸送層２０を備える。必要に応じた、電荷輸送層上に配置されたオーバーコート層３２もまた、備えられ得る。剛性基材は、金属、合金、アルミニウム、ジルコニウム、ニオブ、タンタル、バナジウム、ハフニウム、チタン、ニッケル、ステンレス鋼、クロミウム、タングステン、モリブデンおよびこれらの混合物からなる群より選択される材料から構成され得る。この基材はまた、金属、ポリマー、ガラス、セラミックおよび木材からなる群より選択される材料をも含み得る。」
「【００１７】
　（基材）
　感光体支持基材１０は、不透明であっても、または実質的に透明であってもよく、必須の機械的特性を有する任意の好適な有機材料もしくは無機材料を含み得る。基材全体は、導電性表面におけるものと同じ材料を含んでもよく、または導電性表面は、基材上のコーティングとなり得るにすぎない。任意の好適な導電性材料、例えば、金属もしくは合金などが、使用可能である。これは、単一の金属化合物であっても、または異なる金属および／もしくは酸化物の二重層であってもよい。
【００１８】
　基材１０はまた、導電性材料で完全に配合されてもよく、または、導電性チタンもしくはチタン／ジルコニウムコーティングを含む接地面層１２を有する無機ポリマー材料もしくは有機ポリマー材料を含む絶縁材料（例えば、ＤｕＰｏｎｔから市販されている二軸配向ポリエチレンテレフタレートであるＭＹＬＡＲ、またはＫＡＬＥＤＥＸ ２０００として入手可能なポリエチレンナフタレート）であってもよく、そうでなければ例えばインジウムスズ酸化物、アルミニウム、チタンなどの半導体表面層を有する有機材料もしくは無機材料の層であってもよく、または例えばアルミニウム、クロム、ニッケル、真鍮、他の金属などの導電性材料のみで作製されていてもよい。」
　上記記載から、引用文献５には、「有機ポリマー材料を含む感光体支持基材１０」が記載されているといえる。
６．引用文献６について
　原査定の拒絶の理由に引用された上記引用文献６には、次の事項が記載されている。
「【請求項１】
　患者の対向する脚筋に分布する神経に電気的刺激を施して前記脚筋の等尺性収縮を生じさせるための正電極及び負電極と、前記正電極及び前記負電極に接続可能な電源と、前記正電極及び前記負電極を作動させるための制御手段と、前記正電極及び前記負電極と前記電源と前記制御手段とが取り付けられているフレキシブル基板とを備えたデバイス。」
「【０１２３】
　本発明によるデバイスの好ましい実施形態が図１４から図１７に示されている。デバイス１０は、フレキシブルで非伸縮性の熱可塑性エラストマーの基板１２を備え、その基板１２は、一端に細長のタン部１４を含み、他端に成形凹部１６を含む。
【０１２４】
　タン部１４上に正電極１８及び負電極２０が印刷されている。正電極は負電極よりも僅かに大きい。各電極は、その電極から、凹部１６内に位置する各コンタクトポイント２６、２８へとつながる導電性トラック２２、２４を含む。
【０１２５】
　図示されていないが、絶縁性ストリップが、正トラック２２と負電極２０との間に配置され、同様のストリップがタン部の縁に配置されて、望ましくない電流漏れを防止する。
【０１２６】
　凹部１６内に、電池（図示せず）と、電極を制御する適切な回路を含むＰＣＢ（図示せず）とが配置されている。導電性トラック２２、２４及びコンタクトポイント２６、２８と共に、ＰＣＢが完全な回路を形成する。プラスチックカバーが凹部１６上に超音波溶接されて、部品を密封する。ゲル層がデバイス１０全体の上に配置されて、使用者の肢との電気コンタクトを提供し、デバイスが使用者に接着していることを維持するのに役立つ。ゲルは、貼り直し可能なバッキング層によって、輸送中に保護可能である。
【０１２７】
　凹部１６の外面は、集積ダイヤフラムボタン３０と、ＬＥＤを表示するための開口部３２とを備えて形成される。ボタン３０は、バッテリーハウジング又はＰＣＢ上の対応するボタン３０と接触してデバイスを作動させるように配置される。開口部３２は、デバイスが動作しているかどかを示すＬＥＤを表示する。」
【図１４】
【図１５】
　上記記載より、引用文献６には、「一端に細長のタン部１４を含み、他端に電池を配置した成形凹部１６を含む、フレキシブルで非伸縮性の熱可塑性エラストマーの基板１２に、脚筋に分布する神経に電気的刺激を施す、導電性トラック２２、２４を含む正電極１８及び負電極２０を印刷したデバイス」が記載されている。
第５　対比・判断
１．本願発明１について
（１）対比
　本願発明１と引用発明とを対比すると、次のことがいえる。
ア　引用発明の「薄型スイッチを備えた電気機器」は、本願発明１の「電子装置」乃至「装置」に相当する。
イ　引用発明の「固定側の接点８」及び「回路体９」は、本願発明１の「電気接点」及び「プリント回路基板」に相当するから、引用発明の「固定側の接点８を有する回路体９」は、本願発明１の「電気接点を有するプリント回路基板」に相当する。
ウ　引用発明の「撓みが可能となるようにスイッチ操作部１２が形成されている表面シート２」は、「スイッチ操作部１２が下方向の押圧加重により押圧されると、表面シート２が下方向に撓」むものであることから、表面シート２のうち、指で操作される側を外側、指が触れない側を内部ということができ（引用文献１の段落【００３０】及び【図１】を参照。）、本願発明１の「内部に撓ませることができる外部の一体的な可撓性部分」に相当するといえる。
　したがって、引用発明の「薄型スイッチ１は、撓みが可能となるようにスイッチ操作部１２が形成されている表面シート２と」、「固定側の接点８を有する回路体９と、を外側から順に備えて構成されている」ことは、本願発明１の「電気接点を有するプリント回路基板を収容する内部と外部とを画定するプラスチックケーシングであって、前記ケーシングの内部に撓ませることができる外部の一体的な可撓性部分を組み込んだケーシングと」「を含」むこととの対比において、「電気接点を有するプリント回路基板と、内部に撓ませることができる外部の一体的な可撓性部分を組み込んだ部材と」「を含」むことの限度で共通する。
エ　引用発明の「可動側の接点５」は、本願発明１の「導電性経路」に相当するといえ、引用発明の「ドームシート６」は、ドーム部１４で可動側の接点５を支持しているものであり、電気絶縁性であることは自明であるとともに、ドーム部１４は反転するものであるから可撓性であるといえるので、本願発明１の「電気絶縁性の可撓性基板」に相当するといえる。
　したがって、引用発明の「薄型スイッチ１は」、「可動側の接点５が設けられているドーム部１４を有するドームシート６と」、を「備えて構成されている」ことは、本願発明１の「導電性経路と神経筋刺激用の一対の電極を支持する電気絶縁性の可撓性基板とを含」むこととの対比において、「導電性経路を支持する電気絶縁性の可撓性基板とを含」むことの限度で共通する。
オ　引用発明の「ドームシート６」は「ドーム部１４を有する」ものであるから、引用発明の「ドーム部１４」は、ドームシート６の少なくとも一部分であるといえ、本願発明１の「可撓性基板の少なくとも一部分」に相当する。
カ　引用発明の「スイッチ回路」は、本願発明１の「電気回路」に相当する。
　引用発明の「ドームシート６のドーム部１４が反転し、可動側の接点５が回路体９の固定側の接点８に接触し回路体９のスイッチ回路を導通状態と」することは、本願発明１の「前記一体的な可撓性部分が前記可撓性基板の前記少なくとも一部分を前記プリント回路基板と接触させ、前記導電性経路が前記電気接点に接触して電気回路を完成する」ことに相当する。
　引用発明の「ドーム部１４及び表面シート２がもとの状態に復帰し導通状態が解除」されることは、ドーム部１４が「もとの状態」にあっては可動側の接点５が回路体９の固定側の接点８から離れていることと理解できる。
　そして、引用発明において上述の「スイッチ回路を導通状態」とすることは、ドーム部１４が「もとの状態」から反転して可動側の接点５を回路体９の固定側の接点８に接触させるものと理解できるので、「もとの状態」では、ドーム部１４は回路体９から離間しているがすぐに接触できる位置に保持された状態といえる。
　したがって、引用発明のドーム部１４の「もとの状態」は、本願発明１の「前記少なくとも一部分が前記プリント回路基板に隣接するがプリント回路基板から離間するように」「保持され」ることに相当する。
キ　上記カを踏まえると、引用発明の「スイッチ操作部１２が下方向の押圧加重により押圧されると、表面シート２が下方向に撓み、ドームシート６のドーム部１４が反転し、可動側の接点５が回路体９の固定側の接点８に接触し回路体９のスイッチ回路を導通状態とし、下方向の押圧加重が解除されるとドーム部１４及び表面シート２がもとの状態に復帰し導通状態が解除されるものである」ことは、本願発明１の「前記可撓性基板の少なくとも一部分は、前記一体的な可撓性部分を前記ケーシングの内部に撓ませると、前記一体的な可撓性部分が前記可撓性基板の前記少なくとも一部分を前記プリント回路基板と接触させ、前記導電性経路が前記電気接点に接触して電気回路を完成するように、前記少なくとも一部分が前記プリント回路基板に隣接するが前記プリント回路基板から離間するように前記ケーシングによって保持され」ていることとの対比において、「前記可撓性基板の少なくとも一部分は、前記一体的な可撓性部分を内部に撓ませると、前記一体的な可撓性部分が前記可撓性基板の前記少なくとも一部分を前記プリント回路基板と接触させ、前記導電性経路が前記電気接点に接触して電気回路を完成するように、前記少なくとも一部分が前記プリント回路基板に隣接するが前記プリント回路基板から離間するように保持され」ているとの限度で共通する。
ク　したがって、本願発明１と引用発明との間には、次の一致点及び相違点があるといえる。　
［一致点］
「電子装置であって、
　電気接点を有するプリント回路基板と、内部に撓ませることができる外部の一体的な可撓性部分を組み込んだ部材と、
　導電性経路を支持する電気絶縁性の可撓性基板と
を含み、
　前記可撓性基板の少なくとも一部分は、前記一体的な可撓性部分を内部に撓ませると、前記一体的な可撓性部分が前記可撓性基板の前記少なくとも一部分を前記プリント回路基板と接触させ、前記導電性経路が前記電気接点に接触して電気回路を完成するように、前記少なくとも一部分が前記プリント回路基板に隣接するが前記プリント回路基板から離間するように保持されている装置。」
［相違点１］
　本願発明１の「ケーシング」が「プリント回路基板を収容する内部と外部とを画定するプラスチックケーシングであって、前記ケーシングの内部に撓ませることができる外部の一体的な可撓性部分を組み込んだケーシング」とされているのに対し、引用発明の表面シート２と回路体９とを備えて構成されているものが、ケーシングであるとはされていないし、その材質もプラスチックであるとはされていない点。
［相違点２］
　本願発明１は、「可撓性基板」が、「導電性経路と神経筋刺激用の一対の電極とを支持する」ものであり、「前記電極は、前記電極が前記ケーシングの外側にあるように、前記可撓性基板の前記ケーシングを越えて延びている部分に配置され」、「前記可撓性基板及び前記導電性経路は、前記電極を駆動するために前記ケーシングを越えて延びている」ものであるのに対し、引用発明は、「ドームシート６」が、「可動側の接点５が設けられているドーム部１４を有する」とされるに留まり、本願発明１のケーシングに相当する部材を越えて延び、可動側の接点５もケーシングに相当する部材を越えて延びているとはされてないし、また、当該ケーシングに相当する部材を越えて延びている部分に、神経筋刺激用の一対の電極を配置支持するものでもない点。
（２）判断
　事案に鑑み、相違点２について検討する。
ア　本願発明１の「可撓性基板」が、「導電性経路と神経筋刺激用の一対の電極とを支持する」ものであり、「前記電極は、前記電極が前記ケーシングの外側にあるように、前記可撓性基板の前記ケーシングを越えて延びている部分に配置され」、「前記可撓性基板及び前記導電性経路は、前記電極を駆動するために前記ケーシングを越えて延びている」構成は、引用文献２及び３には記載も示唆もされていない
　このように、引用文献２及び３は相違点２に係る本願発明１の構成を示唆するものではないから、当業者といえども、引用発明及び引用文献２及び３に記載された技術的事項から、相違点２に係る本願発明１の構成を容易に想到することはできない。
　なお、引用文献３〜６にも、相違点２に係る本願発明１の構成については、記載も示唆もされていないし、当該構成が自明であるとの証拠もない（引用文献６の段落【０１２４】〜【０１２７】及び【図１４】〜【図１５】には、フレキシブルで非伸縮性の熱可塑性エラストマーの基板１２に、導電性トラック２２、２４を含む正電極１８及び負電極２０が印刷されている構成が開示されているが、斯かる構成の基板１２は、ケーシングを越えて延びているとの記載も示唆もない。）。
イ　引用発明の「ドームシート６」に設けられた「可動側の接点５」は、「固定側の接点８」と対向し、押圧操作により両接点同士が離接することによって薄型スイッチ１を構成し、スイッチ機能を発揮する構成（スイッチ機能を発揮させるためには必要十分な構成）であるから、引用発明において、ドームシート６をさらに延在させ、斯かる延在部分に可動側の接点５を設ける技術的必要性は無く、本願発明１の「前記可撓性基板及び前記導電性経路は、前記電極を駆動するために前記ケーシングを越えて延びている」に相当する構成を採用する動機付けは存在しない。
ウ　したがって、相違点１について判断するまでもなく、本願発明１は、当業者であっても、引用発明及び引用文献２及び３に記載された技術的事項に基いて容易に発明をすることができたものとはいえない。
２．本願発明２〜１３について
　本願発明２〜６は、本願発明１の発明特定事項を全て含みさらに限定したものであるから、上記１．（２）と同様の理由により、当業者であっても、引用発明及び引用文献２及び３に記載された技術的事項に基いて容易に発明をすることができたものとはいえない。
　本願発明７〜９も、本願発明１の発明特定事項を全て含みさらに限定したものであるから、上記１．（２）と同様の理由により、当業者であっても、引用発明及び引用文献２〜５に記載された技術的事項に基いて容易に発明をすることができたものとはいえない。
　本願発明１０〜１３も、本願発明１の発明特定事項を全て含みさらに限定したものであるから、上記１．（２）と同様の理由により、当業者であっても、引用発明及び引用文献２〜６に記載された技術的事項に基いて容易に発明をすることができたものとはいえない。
第６　むすび
　以上のとおり、本願発明１〜６は、当業者が引用発明及び引用文献２及び３に記載された技術的事項に基いて容易に発明をすることができたものではない、また、本願発明７〜９は、当業者が引用発明及び引用文献２〜５に記載された技術的事項に基いて容易に発明をすることができたものではない。さらに、本願発明１０〜１３は、当業者が引用発明及び引用文献２〜６に記載された技術的事項に基いて容易に発明をすることができたものではない。
　したがって、原査定の理由によっては、本願を拒絶することはできない。
　また、他に本願を拒絶すべき理由を発見しない。
　よって、結論のとおり審決する。